(57)【特許請求の範囲】
【請求項１】
着用者の２つの肩部位の周りに延びるように配置されて、相互に結合された２つのストラップ・ループと、着用者の少なくとも胸側上のそれぞれの前記ストラップ・ループと結合されて、着用者の腰の周りに延びるリリーフ・ベルトと、前記ストラップ・ループ及び前記リリーフ・ベルトに装着されて、フロント・ピースを有するキャリング・ポケットとを含み、前記フロント・ピースが少なくとも１つの自由側縁部を有しており、該側縁部を、前記ストラップ・ループで前記フロント・ピースを担持するための上側結合器具によって、隣接する前記ストラップ・ループに取り付けることができ、前記フロント・ピースがさらに、下側結合器具によって前記リリーフ・ベルトに取り付けることができる着座部分を有しており、前記フロント・ピースと前記リリーフ・ベルトとが前記上側結合器具の下方で、ベビーキャリア内に座る小児のための脚用開口を画定しているベビーキャリアであって、前記下側結合器具は、前記着座部分を取り付けることができる中間ピース、並びに、それぞれの側に配置されたファスニング部材を含み、前記ファスニング部材のうちの少なくとも一方は前記中間ピースに取り外し可能に取り付けられており、前記リリーフ・ベルトのそれぞれの端部は、前記下側結合器具に前記リリーフ・ベルトを鉛直方向に旋回可能に取り付けることを可能にするように、それぞれの前記ファスニング部材に取り付けられうる、ベビーキャリア。
【請求項２】
前記中間ピースにおけるそれぞれの前記ファスニング部材の取り付け点は、鉛直方向で見て、前記着座部分の取り付け点の上方に位置している、請求項１に記載のベビーキャリア。
【請求項３】
前記ファスニング部材は前記中間ピースに鉛直方向回転固定に取り付けられており、前記リリーフ・ベルトのそれぞれの端部はそれぞれの前記ファスニング部材に鉛直方向関節運動可能に取り付けられている、請求項１に記載のベビーキャリア。
【請求項４】
前記ファスニング部材が前記中間ピースに鉛直方向関節運動可能に取り付けられており、前記リリーフ・ベルトのそれぞれの端部はそれぞれの前記ファスニング部材に鉛直方向回転固定に取り付けられている、請求項１に記載のベビーキャリア。
【請求項５】
前記中間ピースは、それぞれの前記ファスニング部材のための上側固定部分と、前記着座部分のための下側固定部分とを有するフレームを含み、前記下側固定部分は上側開口を有しており、前記上側開口の側縁部は、変位可能に配置されたキャリッジのためのガイドレールとして形成されており、前記上側開口の上縁部は、前記上側固定部分の一部を構成していて、前記上側開口の下縁部は、前記上縁部及び前記キャリッジと協働して、前記着座部分の外端部が、前記キャリアの着用者の身体と前記下側固定部分の下縁部との間に位置するように、前記着座部分を前記下側固定部分に調節可能に取り付けることができるようになっている、請求項１に記載のベビーキャリア。
【請求項６】
前記ファスニング部材への前記リリーフ・ベルトの取り付け位置が、鉛直方向で見て、前記中間ピースへのそれぞれの前記ファスニング部材の取り付け位置の下方になるように、前記リリーフ・ベルトのそれぞれの端部がそれぞれの前記ファスニング部材に取り付けられている、請求項１に記載のベビーキャリア。
【請求項７】
前記リリーフ・ベルトは加えて、剛性部材を介して、着用者の背側で前記ストラップ・ループに鉛直方向に調節可能に取り付けられている、請求項１に記載のベビーキャリア。
【請求項８】
それぞれの前記ファスニング部材は、前記リリーフ・ベルトのそれぞれの端部に関節運動可能に取り付けられている、請求項１に記載のベビーキャリア。
【請求項９】
それぞれの前記ファスニング部材は、少なくとも１つの円弧状の開口を備えており、前記開口を通して、前記リリーフ・ベルトのそれぞれの端部に取り付けるためにストラップをたぐり込むことができる、請求項１に記載のベビーキャリア。
【請求項１０】
前記ファスニング部材が使用者の身体を擦るのを防止するために、前記ファスニング部材をパッド付き布地で取り囲んでカバーすることができ、それぞれの前記ストラップ・ループは、それぞれの前記ストラップ・ループの胸部分の延長部を介して、それぞれの前記布地の上縁部に取り付けられている、請求項１に記載のベビーキャリア。
【発明の詳細な説明】
【技術分野】
【０００１】
本発明は、請求項１の前文に見られるタイプのベビーキャリアに関する。
【背景技術】
【０００２】
かくして、本ベビーキャリアは、着用者の２つの肩部位の周りに延びるように配置されて、相互に結合された２つのストラップ・ループと、着用者の少なくとも胸側上のそれぞれのストラップ・ループと結合されて、着用者の腰の周りに延びるリリーフ・ベルトと、ストラップ・ループ及びリリーフ・ベルトに装着されて、フロント・ピースを有するキャリング・ポケットとを含み、フロント・ピースが少なくとも１つの自由側縁部を有しており、該側縁部を、ストラップ・ループでフロント・ピースを担持するための上側結合器具によって、隣接するストラップ・ループに取り付けることができ、フロント・ピースがさらに、第２の結合器具によってリリーフ・ベルトに取り付けることができる、事実上バンド状の着座部分を有しており、フロント・ピースとリリーフ・ベルトとが上側結合器具の下方で、ベビーキャリア内に座る小児のための脚用開口を画定しているタイプのものである。
【０００３】
小児は生後１年間に体重が約３倍増加し、身長が約３０％高くなるという事実を根拠として、着用者の腰周りに延びるリリーフ・ベルトを備えたベビーキャリアを提供することが一般的である。このようなベビーキャリアは、より重い小児を好都合な方法で担持するのを可能にするためのものであり、そしてより正確に言えば、着用者の肩にかかる圧力をできるだけ大きな程度まで軽減するためのものである。
【０００４】
今までのところ、市場で入手可能である、リリーフ・ベルトを備えたベビーキャリアは、キャリアによって担持されるキャリング・ポケット／バッグの下側部分が、調節可能に又は固定的に、リリーフ・ベルトの上縁部に取り付けられるように形成されている。
【０００５】
ベビーキャリアが負荷されると、その結果、リリーフ・ベルトの上縁部は回転する、すなわち着用者から下方で外方に向かって旋回する傾向をする。この場合特に、リリーフ・ベルトとの下縁部が着用者の胃に押し付けられることになる。このような不快感は、小児が重くなると、そして具体的にはキャリング・ポケット／バッグの下側部分をリリーフ・ベルトに取り付けるために堅固な結合器具が配置されている場合には増大する。
【０００６】
着用者の前側に堅固な結合器具、又はリリーフ・ベルトの任意のその他の剛性部材が現れるのを回避するために、通常は閉ループの形成するバックルを用いてリリーフ・ベルトの２つの部分を組み立てること、並びに着用者の体格に応じて閉ループの直径を調節することが、着用者の背側で行われるように、リリーフ・ベルトは通常形成される。このことは、バックルをロックし、またバックルを開くためにバックルに手が届きにくいので不都合である。
【０００７】
さらに、キャリアの着用者が例えば前方に向かって身体を曲げるとバックルが誤って開くおそれがあるという点で、着用者の背側に位置する開放可能なバックルとの連携が不確実である要因が常に存在する。具体的にはこのようなタイプのベビーキャリアは比較的重い、例えば１２ｋｇまでの小児を担持するように意図されているため、このことが生じると、全体重が着用者の肩にかかるので、おそらく着用者は前方に向かって小児の上に倒れることになる。
【０００８】
こうして、リリーフ・ベルトを開閉するためのバックルが着用者の胸側及び／又は前側に配置され、そして上述の不快感を引き起こすことのないベビーキャリアを提供することが望ましい。上述のタイプのベビーキャリアの場合、このことはまた、ジャケットの形態でベビーキャリアが着脱されるのを可能にする。
【発明の概要】
【発明が解決しようとする課題】
【０００９】
従って、本発明の目的は、上述の欠点が少なくとも部分的に取り除かれたベビーキャリアを提供することである。
【課題を解決するための手段】
【００１０】
この目的は、請求項１に記載されたベビーキャリアによって達成される。
【００１１】
ベビーキャリアの好適な実施形態は従属請求項において定義されている。
【００１２】
添付の図面を参照しつつ、非限定的例示形式で本発明を以下にさらに詳しく説明する。
【図面の簡単な説明】
【００１３】
【図１】本発明によるベビーキャリアを斜め正面から見た状態で示す全体図である。
【図１ａ】図１のベビーキャリアを示す背面図である。
【図２】下側結合器具を概略的に示す正面図であって、下側結合器具がまっすぐなバンドによってファスニング耳状部材を介してリリーフ・ベルト（図示せず）に結合され、ファスニング耳状部材のうちの一方が布地（概略的に示す）を施された状態で示す図である。
【図３】下側結合器具を概略的に示す正面図であって、下側結合器具が斜めのバンドによってファスニング耳状部材を介してリリーフ・ベルト（図示せず）に結合され、ファスニング耳状部材のうちの一方が布地（概略的に示す）を施された状態で示す図である。
【図４】下側結合器具を、フロント・ピースに着座部分がたぐり込まれた（概略的に示す）状態で示す断面側方図である。
【図５】下側結合器具を、ファスニング耳状部材の一方が布地でカバーされた状態で示す正面図である。
【図６】下側結合器具を、ファスニング耳状部材の一方が結合器具から取り外された状態で示す正面図である。
【図７】リリーフ・ベルトの上縁部にフロント・ピースの着座部分が取り付けられたコンベンショナルなリリーフ・ベルトに生じる負荷を示す概略図である。
【図８】リリーフ・ベルトの、図７に示されているものと同様の図であって、リリーフ・ベルトの上縁部にフロント・ピースの着座部分が取り付けられていて、着用者の胃に位置する結合機器で、リリーフベルトの２つの部分が関節運動可能にファスニングされている状態で示す図である。
【発明を実施するための形態】
【００１４】
下記説明及び特許請求の範囲において、「鉛直方向に向いた」及び「水平方向に向いた」、並びに「上側」及び「下側」という表現が用いられる。これらの表現は、ベビーキャリアが着用者によって着用された場合に関連すると理解されるべきである。
【００１５】
図１に見られるように、本発明によるベビーキャリア１は、着用者の２つの肩部位の周りに延びるように配置されて、相互に結合された２つのストラップ・ループ２ａ，２ｂと、着用者の少なくとも胸側上のそれぞれのストラップ・ループと結合されて、着用者の腰の周りに延びるリリーフ・ベルト３と、ストラップ・ループ及びリリーフ・ベルトに装着されて、フロント・ピース１１を有するキャリング・ポケット１０とを含んでいる。フロント・ピース１１は、少なくとも１つの自由側縁部を有しており、この側縁部は、ストラップ・ループでフロント・ピース１１を担持するための上側結合器具５ａ，５ｂによって、隣接するストラップ・ループ２ａ，２ｂに取り付けることができる。フロント・ピース１１は着座部分１４を備えている。着座部分１４は事実上ベルト状であってよく、下側結合器具１６によってリリーフ・ベルト３に取り付けることができる。さらに、リリーフ・ベルトの少なくとも一部分１７が、下側結合器具と取り外し可能に結合されることが望ましい。フロント・ピース１１は、リリーフ・ベルト３と一緒に上側結合器具５ｂの下方に、ベビーキャリア内に座る小児のための脚用開口を画定している。
【００１６】
少なくともフロント・ピース１１及び着座部分１４は、可撓性のパッド付き布地材料から製造されるのが好ましい。
【００１７】
フロント・ピース１１の上側結合器具５ａ，５ｂへの取り付けは、周知の方法で行われ、そして好ましくは国際公開第０３／００３８８０号パンフレットに記載されているので、これ以上詳しくは説明しない。
【００１８】
図２及び図３に見られるように、下側結合装置１６は中間ピース１１０を含んでいる。この中間ピース１１０には、着座部分１４を取り付けることができる。中間ピースへの着座部分の取り付け領域では、着座部分１４は事実上バンド状である。下側結合装置１６は、それぞれの側に配置されたファスニング部材１１１を、好ましくはファスニング耳状部材１１１の形態で備えている。ファスニング耳状部材１１１には、リリーフ・ベルト３のそれぞれの部分／端部１７を、これが鉛直方向に旋回できるように取り付けることができる。このことは、少なくとも２つの方法、すなわちファスニング耳状部材１１１が中間ピース１１０に鉛直方向回転固定 (vertically rotationally fixedly) に取り付けられ、リリーフ・ベルト３のそれぞれの部分１７がそれぞれのファスニング耳状部材に鉛直方向関節運動可能に取り付けられることによって、又は、ファスニング耳状部材１１１が中間ピース１１０に鉛直方向関節運動可能に取り付けられ、そしてリリーフ・ベルト３のそれぞれの部分１７がそれぞれのファスニング耳状部材１１１に鉛直方向回転固定に取り付けられることによって、可能になる。図２及び３に示された実施形態の場合、旋回は最初に述べた方法で、リリーフ・ベルトの部分の鉛直方向に生じる。
【００１９】
本発明によるベビーキャリア内の、中間ピース１１０におけるそれぞれのファスニング耳状部材１１１の取り付け点１２６は、中間ピースにおける着座部分１４の取り付け点１２７よりも鉛直方向で上方に位置するべきである。
【００２０】
さらに、リリーフ・ベルト３のそれぞれの部分１７は、それぞれのファスニング耳状部材１１１に、ファスニング耳状部材におけるリリーフ・ベルトの取り付け点が、鉛直方向で見て、中間ピース１１０におけるそれぞれのファスニング耳状部材１１１の取り付け点の下方に位置するように、取り付けられている。
【００２１】
図２から図６に示された下側ファスニング器具の好ましい実施形態の場合、中間ピース１１０は、それぞれのファスニング耳状部材１１１のための上側固定部分１１３と、着座部分１４のための下側固定部分１１４とを有するフレーム１１２を含む。両ファスニング耳状部材１１１が中間ピースに取り外し可能に取り付けられているが、しかし本発明によれば、一方のファスニング耳状部材だけが取り外し可能に取り付けられていれば十分である。
【００２２】
下側固定部分１１４は、２つの開口、つまり上側開口１１５ａと、水平方向バー１２５によって分離された下側開口１１５ｂとを有しており、下側固定部分の側縁部１１６は、変位可能に配置されたキャリッジ１１７のためのガイドレールとして形成されている。下側開口１１５ｂの上縁部１１８ａ及び下縁部１１８ｂは、円弧が下方を向いた円弧状であることが好ましい。さらに、縁部１１８ａ，１１８ｂは、図４に示されているように、縁部間に位置する着座部分１４を収容するために、水平方向で多少ずらされている。
【００２３】
それぞれのファスニング耳状部材１１１は好ましくは、事実上鉛直方向に延びる円弧形の開口１２０を備えている。この開口を通して、ストラップ１２４（図２では水平方向の破線によって、また図３では水平線に対して所定の角度を成す破線によって概略的に示されている）がたぐり込まれ、リリーフ・ベルトのそれぞれの部分に取り付けられている。図２では、ストラップはベビーキャリアの無負荷状で示されており、そして図３では、ベビーキャリアの負荷状態で示されている。
【００２４】
円弧形開口１２０は好ましくは、鉛直方向で見て、上側固定部分１１３におけるファスニング耳状部材の取り付け点１２６と、下側固定部分１１４における着座部分１４の取り付け点１２７との間に配置されており、そして特に好ましくは、開口１２０は取り付け点１２７と同じ高さ、すなわち着座部分１４と同じ高さに配置されている。好ましくはリリーフ・ベルト３の中央に取り付けられた開口１２０並びにストラップ１２４のこのような配置によって、コンベンショナルなベビーキャリアと比較して高い位置に小児をリリーフ・ベルト上で持ち上げるのを可能にする。
【００２５】
上ではストラップ１２４が円弧形開口１２０を介してそれぞれのファスニング耳状部材１１１に取り付けられることを説明してきたが、しかし当業者には明らかなように、ストラップ１２４をそれぞれのファスニング耳状部材に、任意の他の好適な方法で関節運動可能に取り付けることができる。
【００２６】
図５には、ファスニング耳状部材１１１のうちの一方をパッド付き布地１２１で取り囲んでカバーすることにより、ファスニング耳状部材が使用者の身体を擦るのを防止する。好ましくは、それぞれのストラップ・ループ２ａ，２ｂは、ストラップ・ループの胸部分の延長部１２２（図１参照）を介して、それぞれの布地１２１の上縁部に取り付けられている。この延長部１２２は、布地と、上側結合機器５ｂの下側部分との間に延びている。
【００２７】
図６は、中間ピース１１０から取り外されたファスニング耳状部材１１１のうちの一方を示している。
【００２８】
着座部分１４は好ましくはフレーム１１２の下側固定部分１１４に調節可能に取り付けられていて、着座部分１４は上側開口１１５ａを通してその上縁部とキャリッジの上縁部との間で、キャリッジの背後に着用者に向かってたぐり込まれ、その後、着座部分１４は着用者から、キャリッジの下縁部と上側開口の下縁部との間で、バー１２５の前面にたぐり込まれ、これにより次いで、下側開口を通して着用者に向かって再びたぐり込まれるようになっている。このことは図４に示されている。
【００２９】
下側固定部分を形成し、そして着座部分１４を上述のようにたぐり込むことにより、キャリアが着用者によって担持されるときには、着座部分１４の外側部分１４ａがいつも着用者の胃に当たり、この場合、胃に対して軟質の「クッション」として作用することになる。これにより、着用者の胃を押さえつける下側結合器具１６、具体的には下側固定部分の形で生じうる不快感を最小化することができる。
【００３０】
ベビーキャリア内に小児が置かれると、着座部分１４は、図７及び８に概略的に示されているように力Ｆによって負荷される。図７は、周知のベビーキャリアにおける負荷の事例を示し、そして図８は、本発明によるベビーキャリアにおける負荷の事例を示している。図７に示されているように、リリーフ・ベルトの下縁部４は、着用者に対して内方に向かって旋回し、このことは不快感を招く。図８では、本発明によるベビーキャリアの場合、リリーフ・ベルトは着用者に対して鉛直方向の接触面、すなわち平面的な接触面５を維持することが明らかである。上述のように、着用者の身体と下側結合器具との間に着座部分の外側部分１４ａが位置するため、下側結合器具１６が着用者を押さえつけるという事実によって生じうる着用者に対する可能な圧力は、さらに最小化される。しかし念のために述べると、最後に述べた事例では、着座部分は、リリーフ・ベルトの上縁部に取り付けられた状態で示されている。ベビーキャリアの構成と組み合わされた下側結合器具１６の上述の構成によって、ベビーキャリアが負荷されたときにも、リリーフ・ベルト３は、着用者の前側に対してほとんど鉛直方向の、平面的な接触面を得る。ファスニング耳状部材及び中間ピースに、水平方向で丸みを帯びた好適な形状を与えることにより、着用者の前側に対する比較的大きい接触面が付加的に提供される。
【００３１】
図１ａに示されているように、リリーフ・ベルト３は加えて、着用者の背側で剛性部材（強靭な部材）１８を介してストラップ・ループ２ａ，２ｂと鉛直方向調節可能に結合されている。この剛性部材１８はまた、調節手段１８ａを介してストラップ・ループ２ａ，２ｂを調節可能に相互に結合している。調節手段１８ａは、互いに面するストラップ・ループのそれぞれの縁部にスライド可能に取り付けられている。
【符号の説明】
【００３２】
２ａ，２ｂ    ストラップ・ループ
３    リリーフ・ベルト
５ａ，５ｂ    上側結合器具
１０    キャリング・ポケット
１１    フロント・ピース
１６    下側結合器具
１４    着座部分
１１０    中間ピース
１１１    ファスニング部材
【図１】
0005859841.tif 000002
【図１ａ】
0005859841.tif 000003
【図２】
0005859841.tif 000004
【図３】
0005859841.tif 000005
【図４】
0005859841.tif 000006
【図５】
0005859841.tif 000007
【図６】
0005859841.tif 000008
【図７】
0005859841.tif 000009
【図８】
0005859841.tif 000010